(57)【要約】【課題】簡単な構成で、コントラストが高い映像を表示することができる反射型スクリーンおよび表示システムを提供することを目的とする。【解決手段】反射型スクリーン（１）は、支持層（１１）と、支持層（１１）の表面にバインダ層（１３）によって固定された複数の微小カプセル（２）とを有する。各微小カプセル（２）は、映像光が入射する側に光拡散領域（２ａ）を有し、もう一方の側に光吸収領域（２ｂ）を有する。微小カプセル（２）の光拡散領域（２ａ）と光吸収領域（２ｂ）により、映像光（６１）と外光（８１）とを分離し、映像のコントラストを向上することができる。【選択図】  図１
2014106510.tif 000002
【特許請求の範囲】
【請求項１】
支持層と、
前記支持層の表面にバインダ層によって固定された複数の微小カプセルと
を有し、
前記各微小カプセルが、映像光が入射する側に光拡散領域を有し、もう一方の側に光吸収領域を有すること
を特徴とする反射型スクリーン。
【請求項２】
前記光吸収領域は、第１の分散媒に、光吸収体を分散または沈殿させて構成されていることを特徴とする請求項１の反射型スクリーン。
【請求項３】
前記第１の分散媒は、光硬化性樹脂で形成されていることを特徴とする請求項１の反射型スクリーン。
【請求項４】
前記光拡散領域は、第２の分散媒に、光拡散粒子を分散または沈殿させて構成されていることを特徴とする請求項１から３までのいずれか１項に記載の反射型スクリーン。
【請求項５】
前記第２の分散媒は、光硬化性樹脂で形成されていることを特徴とする請求項４の反射型スクリーン。
【請求項６】
前記光吸収領域は、第１の分散媒に、光吸収体を分散または沈殿させて構成され、
前記光拡散領域は、第２の分散媒に、光拡散粒子を分散または沈殿させて構成され、
前記第１の分散媒の比重と、前記第２の分散媒の比重とが異なることを特徴とする請求項１に記載の反射型スクリーン。
【請求項７】
各微小カプセルの一部が、前記バインダ層から突出していることを特徴とする請求項１から６までのいずれか１項に記載の反射型スクリーン。
【請求項８】
各微小カプセルにおいて、下側に光拡散領域を有し、上側に光吸収領域を有することを特徴とする請求項１から７までのいずれか１項に記載の反射型スクリーン。
【請求項９】
請求項１から８までのいずれか１項に記載の反射型スクリーンと、
前記反射型スクリーンに映像光を投写する投写型表示装置と
を備えた表示システム。
【請求項１０】
車載用の表示システムであることを特徴とする請求項９に記載の表示システム。
【発明の詳細な説明】
【技術分野】
【０００１】
本発明は、反射型スクリーンおよび表示システムに関し、特に、投影される映像のコントラストを向上する技術に関する。
【背景技術】
【０００２】
近年、短焦点プロジェクタの発達に伴い、大画面の映像を投影するために必要なスクリーンとプロジェクタとの距離は、大幅に短縮されている。また、プロジェクタを、できるだけ鑑賞者の視界に入らないように、スクリーンの下方あるいは上方などに設置することが多い。そのため、プロジェクタは、映像光をスクリーン面に対して鋭角に入射させるような条件で使用されることが多くなっている。
【０００３】
一般的な反射型スクリーンとしては、平坦な表面に拡散材を塗布したものが知られている。このような一般的な反射型スクリーンでは、室内に配置された蛍光灯や、窓から入射する太陽光などの外光（映像光以外の光）によって、スクリーンに映し出された黒などの映像が影響を受け、映像のコントラストの低下を生じる。ここでのコントラストとは、白画像の輝度と黒画像の輝度との比を意味している。また、上記の外光がスクリーンによって拡散反射されるため、鑑賞者に映像をはっきり認識させるために、より多くの映像光の光量（輝度）が必要となる。その結果、プロジェクタの大型化および消費電力の増加を招く。
【０００４】
そこで、映像光と外光とを分離するために、スクリーンの表面に凹凸構造を形成し、その上方向（天井方向）を向く面に光吸収領域を設け、下方向を向く面に光反射層を設けた構成が提案されている（例えば、特許文献１参照）。天井の蛍光灯などからの照明光を光吸収領域で吸収しつつ、映像光を光反射層で反射することにより、コントラストを向上することができる。
【先行技術文献】
【特許文献】
【０００５】
【特許文献１】特開２００７−９４０４７号公報（図１参照）
【発明の概要】
【発明が解決しようとする課題】
【０００６】
しかしながら、特許文献１に記載された構成では、スクリーンの表面に階段状の凹凸構造を形成し、その凹凸構造の表面に、金属蒸着により光反射層を形成しているため、スクリーンの構成が複雑である。
【０００７】
また、凹凸構造の表面に均一な厚さに金属を蒸着することは難しいため、光反射層の厚さにばらつきが生じやすい。さらに、金属蒸着により形成される光反射層の反射率は高くても８０％であるため、反射型スクリーンとしては不十分であり、高い光利用効率が得られない。
【０００８】
本発明は、上記の課題を解決するためになされたものであり、簡単な構成で、映像光と外光とを分離し、コントラストを向上することができる反射型スクリーンおよび表示システムを提供することを目的とする。
【課題を解決するための手段】
【０００９】
本発明に係る反射型スクリーンは、支持層と、支持層の表面にバインダ層によって固定された複数の微小カプセルとを有し、各微小カプセルが、映像光が入射する側に光拡散領域を有し、もう一方の側に光吸収領域を有することを特徴とする。
【００１０】
本発明に係る表示システムは、上記の反射型スクリーンと、反射型スクリーンに映像を投影するプロジェクタとを有する。
【発明の効果】
【００１１】
本発明によれば、微小カプセルの光拡散領域と光吸収領域により、映像光と外光とを分離することができ、簡単な構成で、コントラストを向上することができる。
【図面の簡単な説明】
【００１２】
【図１】本発明の実施の形態１における反射型スクリーンを含む表示システムの構成を示す図である。
【図２】本発明の実施の形態１における反射型スクリーンの微小カプセルの構成を示す図である。
【図３】本発明の実施の形態１における反射型スクリーンの微小カプセルの配列を示す説明図である。
【図４】本発明の実施の形態１における反射型スクリーンの作用を説明するための模式図である。
【図５】本発明の実施の形態１における反射型スクリーンの作用を説明するための模式図である。
【図６】本発明の実施の形態１における反射型スクリーンと対比するための比較例を示す模式図である。
【図７】本発明の実施の形態１における反射型スクリーンのカプセルの製造方法を説明するための模式図である。
【図８】本発明の実施の形態１における反射型スクリーンを含む表示システムを、車載用の表示システムとして使用する例を示す模式図である。
【発明を実施するための形態】
【００１３】
＜表示システムの全体構成＞
図１は、本発明の実施の形態１に係る反射型スクリーン１を含む表示システムの構成を模式的に示す図である。図１に示す表示システムは、反射型スクリーン１と、この反射型スクリーン１に映像を投影する投写型表示装置としてのプロジェクタ６とを備えている。
【００１４】
図１において、反射型スクリーン１のスクリーン面をＸＹ面とし、このＸＹ面に直交する方向をＺ方向とする。Ｚ方向については、鑑賞者５に向かう方向を＋Ｚ方向とし、その反対方向を−Ｚ方向とする。
【００１５】
プロジェクタ６（すなわち投写型表示装置）は、大きく分けて、光源を含む照明光学系と、映像表示素子としてのライトバルブと、ライトバルブで変調された映像光を反射型スクリーン１に拡大投影する投写光学系とを備えている。ここでは、光源として、発光ダイオード（ＬＥＤ）またはレーザダイオード（ＬＤ）を用いるが、これらに限定されるものではない。
【００１６】
映像表示素子（映像構築素子とも称する）としてのライトバルブは、例えば、ＤＭＤ（Ｄｉｇｉｔａｌ  Ｍｉｃｒｏｍｉｒｒｏｒ  Ｄｅｖｉｃｅ）、ＬＣＯＳ（Ｌｉｑｕｉｄ  Ｃｒｙｓｔａｌ  Ｏｎ  Ｓｉｌｉｃｏｎ）、または、レーザー光源を用いたプロジェクタで用いられるＭＥＭＳ（Ｍｉｃｒｏ  Ｅｌｅｃｔｒｏ  Ｍｅｃｈａｎｉｃａｌ  Ｓｙｓｔｅｍ）等で構成される。但し、これらに限定されるものではない。投写光学系は、例えば投写レンズである。
【００１７】
プロジェクタ６は、映像光６１の出射部が反射型スクリーン１のＸ方向中央部に対向するように配置されている。プロジェクタ６は、ここでは短焦点プロジェクタであるが、これに限定されるものではない。
【００１８】
＜反射型スクリーンの構成＞
図１に示すように、実施の形態１に係る反射型スクリーン１は、支持層１１と、微小カプセル２と、支持層１１に対して微小カプセル２を保持するバインダ層１３（保持層とも称する）とを有している。
【００１９】
支持層１１は、反射型スクリーン１を支持する支持体（基体）であり、また、微小カプセル２を保持するものである。支持層１１は、バインダ層１３との接着性や製造性を考慮し、例えば、ＰＭＭＡ（Ｐｏｌｙ  Ｍｅｔｈｙｌ  ｍｅｔｈａｃｒｙｌａｔｅ）、ＰＥＴ（Ｐｏｌｙｅｔｈｔｌｅｎｅ  Ｔｅｒｅｐｈｔｈａｌａｔｅ）、またはＰＣ（Ｐｏｌｙｃａｒｂｏｎａｔｅ）などの樹脂材料で形成することが望ましい。
【００２０】
なお、反射型スクリーン１の強度を確保するために、支持層１１の他に別の支持体を設けることも可能である。また、支持層１１は、後述するように映像光や外光が入射する部分ではない。そのため、支持層１１の材料は、光学特性に関する制約はなく、主に機械的特性あるいはデザイン性などを考慮して選択することができる。
【００２１】
支持層１１の表面（平坦面）には、多数の微小カプセル２が平面的（ＸＹ面上）に配列され、バインダ層１３により保持されている。
【００２２】
図２は、微小カプセル２の構成を示す模式図である。図２に示すように、微小カプセル２は、例えば球状のカプセルである。カプセル膜２１の内側には、第１の領域である光拡散領域２ａと、第２の領域である光吸収領域２ｂとが設けられている。光拡散領域２ａには分散媒２２が充填され、その中に光拡散粒子２３が分散されている。光吸収領域２ｂには分散媒２４が充填され、その中に光吸収体（光吸収粒子とも称する）２５が分散されている。微小カプセル２の粒径は、数十μｍ〜数百μｍが望ましい。
【００２３】
カプセル膜２１は、例えばゼラチンとアラビアゴムの混合物、ウレタン樹脂、メラミン樹脂および尿素−ホルマリン樹脂などにより構成される。カプセル膜２１の材質は、低屈折率の材質が望ましい。映像光が空気とカプセル膜２１との界面において、鑑賞者に視認されない方向（例えばプロジェクタ６に向かう方向）に反射される割合を、できるだけ抑えるためである。また、カプセル膜２１の材質は、バインダ層１３との接着性が良好なものを選定する。
【００２４】
分散媒２２，２４の材質は、比重、および、それぞれの光拡散粒子２３および光吸収体２５の分散性などによって選定する。分散媒２２，２４としては、例えば、イソパラフィン系のオイルまたはシリコンオイル等を用いる。これらのオイルは、グレードによって比重が異なる。本実施の形態では、分散媒２２の比重が分散媒２４の比重よりも重く（大きく）なるように、分散媒２２，２４の各オイルのグレードを決定している。
【００２５】
分散媒２２と分散媒２４との比重差（密度差）を適切に設定することにより、光吸収体２５が分散された分散媒２４は微小カプセル２の上方に集まり、光拡散粒子２３が分散された分散媒２２は微小カプセル２の下方に集まる。このようにして、微小カプセル２の内部には、上側の光吸収領域２ｂと、下側の光拡散領域２ａとが形成される。
【００２６】
分散媒２２と分散媒２４との比重差は、特に限定されるものではないが、できるだけ比重差が大きい方が、重力によって分散媒２２，２４の分離が速やかに進行するため、望ましい。
【００２７】
なお、微小カプセル２内の分散媒２２，２４は、微小カプセル２をバインダ層１３により支持層１１に固定して反射型スクリーン１を構成した状態で、液状（あるいはゲル状）であっても良い。また、微小カプセル２を支持層１１に固定したのちに、分散媒２２，２４を固化してもよい。この場合、分散媒２２，２４を、例えば光硬化性樹脂で形成すれば、微小カプセル２を支持層１１に固定してから光照射することにより、分散媒２２，２４を固化することができる。
【００２８】
光拡散粒子２３は、光をよく拡散反射する材料で形成される。具体的には、光拡散粒子２３は、例えば、酸化アルミニウム、水酸化アルミニウム、炭酸カルシウム、硫酸バリウム、酸化チタンなどの高屈折材料で形成することが望ましい。光拡散粒子２３は、また、例えば、アクリル、ウレタン、シリコンなどのポリマー、あるいはシリカなどの屈折率の低い材料で構成することもできる。この場合には、光拡散粒子２３の粒子径を数ミクロンメートル以下とすることによって、ミー散乱もしくはレイリー散乱作用によって高い拡散反射性を得ることができる。
【００２９】
また、光拡散粒子２３は、光拡散特性として、主に後方散乱特性（光の散乱方向が、光の入射方向に戻るような散乱特性）を有することが望ましい。そのため、光拡散粒子２３は、分散媒２２との屈折率の差が大きく、光拡散粒子径が小さい形状を有することが望ましい。光拡散粒子２３の形状は、できるだけ簡単な工程で、比較的低い製造コストで製造されるものであることが望ましい。
【００３０】
光拡散粒子２３は、光拡散領域２ａに入射した光を全て拡散反射することが望ましく、また、分散媒２２にできるだけ均等に分散されていることが望ましい。しかしながら、光拡散粒子２３の分散媒２２内での含有状態はこれに限定されない。例えば、光拡散粒子２３が分散媒２２内で沈殿していても、映像光の反射率を大きく低下させなければよい。
【００３１】
光吸収体２５は、光を吸収する材料、例えばカーボンブラックなどの光吸収材料で形成される。光吸収体２５は、分散媒２４に均一に分散されていることが望ましいが、光吸収体２５が分散媒２４内で沈殿していても、例えば反射型スクリーン１の上方から入射する外光を十分に吸収することができればよい。
【００３２】
微小カプセル２において、分散媒２２に包有される光拡散粒子２３と、分散媒２４に包有される光吸収体２５との比率は、特に限定されるものではない。例えば、外光の影響が大きい場所（例えば屋外）での使用が想定される場合には、分散媒２４および光吸収体２５の含有量が、分散媒２２および光拡散粒子２３の含有量と比較して多いことが望ましい。この場合には、光吸収領域２ｂの体積が、光拡散領域２ａの体積よりも大きい構成となる。
【００３３】
一方、外光の影響が小さい場所（例えば照明の少ない室内）での使用が想定される場合には、分散媒２２および光拡散素子２３の含有量が、分散媒２４および光吸収体２５の含有量と比較して多いことが望ましい。この場合には、光拡散領域２ａの体積が、光吸収領域２ｂの体積よりも大きい構成となる。
【００３４】
また、光拡散粒子２３および光吸収体２５は、それぞれ分散媒２２，２４中にできるだけ多く含有されている方が、映像のコントラストや輝度を向上する上で有利である。
【００３５】
図１に戻り、バインダ層１３は、微小カプセル２を支持層１１に対して接着するものであり、微小カプセル２が支持層１１から脱落しないように保持するものである。
【００３６】
微小カプセル２は、支持層１１の表面に平面的に配列されており、カプセル層１２をなしている。ここでは、カプセル層１２の厚さＴは、微小カプセル２の外径とほぼ同じである。すなわち、カプセル層１２は、単一層である。但し、２層以上のカプセル層１２に重なっている構成も可能である。
【００３７】
図３は、反射型スクリーン１を拡大して正面から見た図である。微小カプセル２は、支持層１１の表面に沿って、すなわちＸＹ面に隙間なく配列されている。微小カプセル２の配列は、反射型スクリーン１の表面を微小カプセル２でほぼ埋めることができるような配列、すなわち、プロジェクタ６から投写された映像光６１ができるだけバインダ層１３に直接入射しないような配列が望ましい。この例では、例えば球形状の微小カプセル２が、六方稠密で配置されている。なお、微小カプセル２の形状および配列は、図３に示した例に限定されない。
【００３８】
＜反射型スクリーンの作用＞
図４に、本実施の形態１に反射型スクリーン１の作用を模式的に表したものを示す。反射型スクリーン１には、主に、プロジェクタ６から投写される映像光６１と、例えば蛍光灯８や窓からの光など、映像光６１以外の光である外光８１とが入射する。一般的な反射型スクリーンは、表面に白色塗料や拡散材料を塗布したものであるため、映像光６１と外光８１とを同じように拡散反射し、コントラストの低下など、映像品質の低下を生じる。
【００３９】
これに対し、本発明の実施の形態１に係る反射型スクリーン１は、以下で説明するように、プロジェクタ６からの映像光７１を拡散反射する一方、不要な外光８１を微小カプセル２の光吸収体２５（光吸収領域２ｂ）によって吸収するよう構成されている。
【００４０】
ここでは、プロジェクタ６は、反射型スクリーン１の下側に設置されている。図４には、反射型スクリーン１のＸ方向中心に入射する映像光６１と外光８１とを模式的に示す。プロジェクタ６から投写された映像光６１は、反射型スクリーン１に対して下方向から入射する。一方、例えば蛍光灯８からの外光８１は、反射型スクリーン１に対して上方向から入射する。
【００４１】
反射型スクリーン１の表面に配列したそれぞれの微小カプセル２では、光拡散粒子２３が分散媒２２に分散され、光吸収体２５が分散媒２４に分散されており、分散媒２２，２４の比重差（密度差）のため、光拡散粒子２３は微小カプセル２内の下方（−Ｙ方向）に集まり、光吸収体２５は微小カプセル２内の上方（＋Ｙ方向）に集まっている。すなわち、微小カプセル２は、下側に光拡散領域２ａ（分散媒２２および光拡散粒子２３）を有し、上側に光吸収領域２ｂ（分散媒２４および光吸収体２５）を有するようになっている。
【００４２】
プロジェクタ６から投写された映像光６１は、主に、微小カプセル２の下側の光拡散領域２ａの光拡散粒子２３によって拡散反射される。従って、微小カプセル２（光拡散素子２３）からの反射光のうち、より多くの割合の光が、プロジェクタ６を正面から見ている鑑賞者５に向かう。
【００４３】
一方、プロジェクタ６を家庭やオフィスで使用する際、外光８１の光源として最も一般的なものは、例えば蛍光灯８である。蛍光灯８は、反射型スクリーン１の上方（＋Ｙ方向）に設置されることが多い。そのため、蛍光灯８からの外光８１は、主に、微小カプセル２の上側の光吸収領域２ｂの光吸収体２５によって吸収される。
【００４４】
このように、反射型スクリーン１の表面に微小カプセル２を配列し、各微小カプセル２が光拡散領域２ａと光吸収領域２ｂとを有しているため、映像光６１を光拡散領域２ａ（光拡散素子２）で拡散反射すると共に、外光８１を光吸収領域２ｂで吸収し、これにより映像光６１と外光８１とを分離することができる。
【００４５】
すなわち、反射型スクリーン１に入射した映像光６１と外光８１のうち、映像光６１のみを鑑賞者５に向けて反射することができる。その結果、鑑賞者５は、外光８１の影響を受けずに、十分な明るさの映像を観賞することができる。
【００４６】
なお、図３に示した例では、反射型スクリーン１を、表面（ＸＹ面）が鉛直面となるように設置している。しかしながら、例えば、反射型スクリーン１を、微小カプセル２の光拡散領域２ａで反射された映像光６１がより多く鑑賞者５に向かうように、鑑賞者５側に傾けて設置してもよい。
【００４７】
図５は、反射型スクリーン１の一部分を拡大して示す断面図である。図５に示すように、微小カプセル２は、バインダ層１３から＋Ｚ方向に突出するように固定されていることが望ましい。図５に示した状態で、映像光６１の正反射は、光拡散領域２ａの光拡散粒子２３の表面のほかに、３つの界面で発生する。すなわち、空気とバインダ層１３との界面Ｃ１、バインダ層１３とカプセル膜２１との界面Ｃ２、および、カプセル膜２１と分散媒２２との界面Ｃ３である。なお、「正反射」とは、屈折率が異なる２つの物質の境界に光が入射したときの光反射を意味するものであり、鏡面反射とも呼ばれる。
【００４８】
図５では、空気とバインダ層１３との界面Ｃ１、バインダ層１３とカプセル膜２１との界面Ｃ２、カプセル膜２１と分散媒２２との界面Ｃ３でそれぞれ正反射される映像光を、映像光６１１，６１２，６１３として示している。これらの映像光６１１，６１２，６１３は、球形状の微小カプセル２の下半分に入射することになるため、各界面Ｃ１，Ｃ２，Ｃ３に対する入射光の角度が小さい。そのため、各界面Ｃ１，Ｃ２，Ｃ３を透過する光の割合が大きくなるのに加えて、界面Ｃ１，Ｃ２，Ｃ３で反射された映像光６１１，６１２，６１３は、天井や壁などに向かわず、主に鑑賞者５の方向に拡散反射される。そのため、天井や壁などの映像光が投写されるという問題は生じない。
【００４９】
これに対し、例えば図６に示す比較例では、微小カプセル２がバインダ層１３内に完全に埋まるように保持されている。そのため、映像光６１が微小カプセル２に入射する面よりも前方（入射側）に、空気とバインダ層１３との界面Ｃ４が形成されてしまう。この空気とバインダ層１３との界面Ｃ４を平面と仮定すると、当該界面Ｃ４で正反射された映像光６１は、上方に反射されて天井や壁などに映像光６１が投写される。その結果、鑑賞者に不快感や違和感を与えることとなる。同じことは、一般的な反射型スクリーンでも、傷つき防止や表面のツヤ感を出す目的でハードコートを施した場合に生じ得る。空気とハードコートとの界面で正反射が生じ、天井や壁などに映像光が投写されるためである。
【００５０】
これに対し、本実施の形態では、図５に示したように、微小カプセル２の少なくとも一部をバインダ層１３から突出させる構成により、映像光６１が天井や壁に向かうことを抑制し、鑑賞者に不快感や違和感を与えないようにしている。
【００５１】
＜反射型スクリーンの製造方法＞
次に、反射型スクリーン１の製造方法について説明する。支持層１１は、上記のようにＰＭＭＡ、ＰＥＴまたはＰＣなどの樹脂材料からなる平板部材で形成する。また、微小カプセル２は、以下のように形成する。
【００５２】
図７に、微小カプセル２の形成方法の一例を示す。ここでは、滴下法と呼ばれる方法について説明する。ここでは、小径の内管９１と大径の外管９２とを同軸に組み合わせた二重ノズル９を使用する。内管９１の内側には内側流路９ａが形成され、内管９１と外管９２との間には外側流路９ｂが形成されている。内側流路９ａには、光拡散粒子２３を分散した分散媒２２と、光吸収体２５を分散した分散媒２４とを混合した溶液Ａを流す。また、外側流路９ｂには、カプセル膜２１を形成する液状の樹脂Ｂ（例えばゼラチン）を流す。
【００５３】
これにより、二重ノズル９の内側流路９ａから吐出された溶液Ａの周囲を、外側流路９ｂから吐出された樹脂Ｂで包み込む。これにより、溶液Ａの周囲を、カプセル膜２１となる樹脂Ｂで包み込んだ微小カプセル２が形成される。なお、溶液Ａは、上述した比重差により、光拡散粒子２３が分散された分散媒２２と、光吸収体２５が分散された分散媒２４とに分離する。
【００５４】
なお、ここでは、滴下法による微小カプセル２の形成方法について説明したが、滴下法以外の方法、例えばコアセルベーション法という方法を用いてもよい。
【００５５】
コアセルベーション法では、光拡散粒子２３を分散した分散媒２２と、光吸収体２５を分散した分散媒２４とを混合した溶液を、水中で撹拌する。分散媒２２，２４は疎水性を有しているため、集まって液滴を形成する。この液滴の周囲に、例えばゼラチンを析出させ、凝固させることにより、カプセル膜２１を形成する。
【００５６】
次に、このようにして形成された微小カプセル２を、バインダ層１３を形成する材料と混合し、平板である支持層１１の表面に均一に塗布する。さらに、バインダ層１３を光照射によって硬化させる。これにより、微小カプセル２がバインダ層１３によって支持層１１に固定された反射型スクリーン１が得られる。
【００５７】
微小カプセル２内では、光吸収体２５が分散された分散媒２４と、光拡散粒子２３が分散された分散媒２２とが、重力によって自然に上下に分離される。
【００５８】
また、図５に示したように微小カプセル２の一部がバインダ層１３から突出する構成は、主として、バインダ層１３を形成する材料の硬化前の粘度を、所定の範囲に設定することにより実現することができる。なお、図１では、微小カプセル２が支持層１１の表面に接するように描かれているが、微小カプセル２は、バインダ層１３の表面から一部が突出するように（すなわち、バインダ層１３の中に沈み込まないように）保持されていればよい。
【００５９】
＜車載用の表示システムの構成例＞
図８は、本実施の形態における表示システムを、車載用の表示システムとして使用する場合の構成例を示す模式図である。本実施の形態の表示システムのプロジェクタ６は、自動車等の車両７の例えばダッシュボード７１の内部に取り付けられている。
【００６０】
反射型スクリーン１は、ダッシュボード７１上において、運転者Ｐの前方（すなわちフロントガラス７２側）に取り付けられている。プロジェクタ６は、反射型スクリーン１に向けて、下方から上方に、映像光６１を投影する。運転者Ｐは、フロントガラス７２を介して車両７の前方を観察しながら、視線を僅かに下方にずらすことにより、反射型スクリーン１に投影される映像（例えばナビゲーション情報等の、絵や文字の情報）を視認することができる。
【００６１】
車外からは、フロントガラス７２を介して、太陽光等の特に強い外光８１が侵入する。しかしながら、本実施の形態における反射型スクリーン１は、下側に光拡散領域２ａを有し、上側に光吸収領域２ｂを有する微小カプセル２を有しているため、車外からの強い外光８１を吸収して、プロジェクタ６からの映像光を拡散反射する。従って、運転車Ｐは、強い外光８１の影響を受けずに、十分な明るさの映像を観察することができる。
【００６２】
なお、図８には、車載用の表示システムの例を示したが、本実施の形態の表示システムが、車載用以外の表示システムとしても利用できることは言うまでもない。
【００６３】
＜実施の形態の効果＞
以上説明したように、本実施の形態によれば、反射型スクリーン１の表面に微小カプセル２を配列し、各微小カプセル２が光拡散領域２ａと光吸収領域２ｂとを有し、映像光６１を光拡散領域２ａで拡散反射すると共に、外光８１を光吸収領域２ｂで吸収することができる。従って、反射型スクリーン１に入射した光のうち、映像光６１のみを鑑賞者５に向けて反射することができる。その結果、鑑賞者５は、外光８１の影響を受けずに、高いコントラストで、十分な明るさの映像を観賞することができる。
【００６４】
また、上記のような映像のコントラストと明るさの向上に伴い、消費電力の増加を抑制することができる。
【００６５】
また、反射型スクリーン１に凹凸構造を加工した場合（特許文献１参照）と比較して、反射型スクリーン１の構成が簡単になる。そのため、製造コストを低減することができる。さらに、凹凸構造の上に光拡散層や光吸収層を形成した場合（特許文献１参照）と比較して、均一な光拡散反射特性および光吸収特性を得ることができ、光の利用効率を向上することができる。
【００６６】
また、光拡散粒子２３を分散媒２２に分散し、光吸収体２５を分散媒２４に分散するとともに、分散媒２２，２４の比重差を設定することにより、微小カプセル２内で、分散媒２２と分散媒２４とが重力によって上下に分離する。そのため、プロジェクタ６からの映像光６１が入射する側に光拡散領域２ａを配置し、外光８１が入射する側に光吸収領域２ｂを配置することが可能になる。
【００６７】
また、分散媒２２および分散媒２４を光硬化性樹脂で形成することにより、微小カプセル２を支持層１１に固定した状態で、分散媒２２および分散媒２４を固化させることができる。そのため、微小カプセル２を支持層１１に固定して反射型スクリーン１を構成し、その反射型スクリーン１を実際の使用状態（図１）で保持し、重力により分散媒２２と分散媒２４とが分離してから、分散媒２２，２４を固化させることができる
【００６８】
また、各微小カプセル２を、バインダ層１３から突出するように固定することにより、図６に示したようにバインダ層１３と空気等の界面で正反射した映像光６１が天井や壁等に投写されること（これにより鑑賞者５に不快感や違和感を与えること）が防止される。
【００６９】
また、微小カプセル２において、光拡散領域２ａを下側に配置し、光吸収領域２ｂを上側に配置することにより、プロジェクタ６の映像光６１を反射型スクリーン１の下方から投写する使用態様において、反射型スクリーン１に下方から入射する映像光６１を反射し、主に上方から入射する外光８１を吸収することができる。
【００７０】
なお、上記の実施の形態では、微小カプセル２の粒径を数十μｍ〜数百μｍとしたが、この粒径範囲に限定されるものではない。また、微小カプセル２は、必ずしも微小でなくてもよく、反射型スクリーン１の表面に緻密に配列できればよい。
【００７１】
また、上記の実施の形態では、微小カプセル２を六方稠密に配列することにより、できるだけ映像光６１や外光８１がバインダ層１３に入射しないようにしたが、映像光６１や外光８１がバインダ層１３に入射する構成であってもよい。この場合には、バインダ層１３に、拡散反射特性または光吸収特性を付与すればよい。
【００７２】
すなわち、反射型スクリーン１に映し出される映像が鑑賞者５によってやや暗いと判断される場合には、バインダ層１３に拡散反射粒子を混合して拡散反射特性を付与し、鑑賞者５に届く映像光６１の光量を増加させることができる。バインダ層１３に混合する拡散反射粒子としては、例えば、微小カプセル２の光拡散粒子２３と同じものを用いることができる。
【００７３】
また、外光８１の影響により、反射型スクリーン１に映し出される映像のコントラストが低いと判断される場合には、バインダ層１３に光吸収体を混合して光吸収特性を付与し、バインダ層１３で反射された外光８１が観賞者５に向かわないようにすることができる。バインダ層１３に混合する光吸収体としては、例えば、微小カプセル２の光吸収体２５と同じものを用いることができる。
【００７４】
また、上記の実施の形態では、プロジェクタ６が、反射型スクリーン１に対して下方から映像光を投写するように配置されていたが、本発明はこのような構成に限定されるものではない。例えば車両の天井等にプロジェクタ６を設置し、反射型スクリーン１に対して上方から映像光を投写するようにしてもよい。この場合には、例えば、微小カプセル２の光拡散領域２ａの分散媒２２の比重を、光吸収領域２ｂの分散媒２４の比重よりも軽く（小さく）することにより、微小カプセル２の上側に光拡散領域２ａを設け、下側に光吸収領域２ｂを設けることができる。
【００７５】
また、本発明に係る反射型スクリーンは、短焦点プロジェクタに限らず、他のプロジェクタと共に用いてもよい。
【符号の説明】
【００７６】
１  反射型スクリーン、  １１  支持層、  １２  カプセル層、  １３  バインダ層、  ２  微小カプセル、  ２ａ  光拡散領域、  ２ｂ  光吸収領域、  ２１  カプセル膜、  ２２  分散媒、  ２３  光拡散粒子、  ２４  分散媒、  ２５  光吸収体、  ５  鑑賞者、  ６  プロジェクタ（投射型表示装置）、  ６１  映像光、  ６１１，６１２，６１３  映像光、  ８  外光光源（蛍光灯）、  ８１  外光。
【図１】
2014106510.tif 000003
【図２】
2014106510.tif 000004
【図３】
2014106510.tif 000005
【図４】
2014106510.tif 000006
【図５】
2014106510.tif 000007
【図６】
2014106510.tif 000008
【図７】
2014106510.tif 000009
【図８】
2014106510.tif 000010